(57)【要約】【課題】移動端末から受信する上りスロットが他の基地局が移動端末に送信する下りスロットから受ける干渉を抑制することを可能とする基地局及びスロット割当て方法を提供する。【解決手段】複数の上りスロットを含む上りフレームと複数の下りスロットを含む下りフレームとが時間軸上において交互に配置されており、上りフレーム及び下りフレームによって構成されるフレームの同期がとられた通信システムにおいて用いられる基地局２０が、基地局２０のエリアに在圏する移動端末１０に上りスロットを割り当てるスロット割当部２４を備え、スロット割当部２４が、基地局２０からの距離が近い移動端末１０よりも基地局２０からの距離が遠い移動端末１０に対して、上りフレームに含まれる先頭の上りスロットを割り当てる。【選択図】図２
2008167010.tif 000002
【特許請求の範囲】
【請求項１】
複数の上りスロットを含む上りフレームと複数の下りスロットを含む下りフレームとが時間軸上において交互に配置されており、前記上りフレーム及び前記下りフレームによって構成されるフレームの同期がとられた通信システムにおいて用いられる基地局であって、
前記基地局のエリアに在圏する移動端末に前記上りスロットを割り当てる割当部を備え、
前記割当部は、前記基地局からの距離が近い前記移動端末よりも前記基地局からの距離が遠い前記移動端末に対して、前記上りフレームに含まれる先頭の上りスロットを割り当てることを特徴とする基地局。
【請求項２】
前記上りスロットに対する干渉量を検出する検出部をさらに備え、
前記割当部は、前記先頭の上りスロットにおいて前記干渉量が所定の閾値を超えた場合に、前記基地局からの距離が近い前記移動端末よりも前記基地局からの距離が遠い前記移動端末に対して前記先頭の上りスロットを割り当てることを特徴とする請求項１に記載の基地局。
【請求項３】
前記検出部は、他の基地局が送信する最後尾の下りスロットの受信強度を前記干渉量として検出することを特徴とする請求項２に記載の基地局。
【請求項４】
前記先頭の上りスロットの周波数帯は、前記最後尾の下りスロットの周波数帯と同じであることを特徴とする請求項３に記載の基地局。
【請求項５】
前記先頭の上りスロットに続く２番目以降の上りスロットが割り当てられた移動端末に対して、前記２番目以降の上りスロットの送信の遅延を指示する指示部をさらに備えることを特徴とする請求項１に記載の基地局。
【請求項６】
複数の上りスロットを含む上りフレームと複数の下りスロットを含む下りフレームとが時間軸上において交互に配置されており、前記上りフレーム及び前記下りフレームによって構成されるフレームの同期がとられた通信システムにおいて、前記上りスロットを移動端末に割り当てるスロット割当て方法であって、
前記基地局からの距離が近い前記移動端末よりも前記基地局からの距離が遠い前記移動端末に対して、前記上りフレームに含まれる先頭の上りスロットを割り当てるステップを含むことを特徴とするスロット割当て方法。
【発明の詳細な説明】
【技術分野】
【０００１】
本発明は、複数の上りスロットを含む上りフレームと複数の下りスロットを含む下りフレームとが時間軸上において交互に配置されており、前記上りフレーム及び前記下りフレームによって構成されるフレームの同期がとられた通信システムにおいて用いられる基地局及びスロット割当て方法に関する。
【背景技術】
【０００２】
従来、基地局と移動端末との間で通信を行うシステムとして、複数の上りスロットを含む上りフレームと複数の下りスロットを含む下りフレームとが時間軸上において交互に配置された通信システムが知られている（例えば、特許文献１）。
【０００３】
ここで、上りフレームに含まれる上りスロットは、基地局のエリア内に在圏する各移動端末に割り当てられる。基地局からの距離が遠い移動端末から送信される上りスロットの遅延量は、基地局からの距離が近い移動端末から送信される上りスロットの遅延量よりも大きい。この結果、基地局からの距離が遠い順に上りスロットが割り当てられると、各上りスロット間で干渉が生じる。従って、各上りスロット間で生じる干渉を回避するために、基地局からの距離が近い順に上りスロットが割り当てられることが一般的である。
【特許文献１】特開平１０−２４２９００号公報
【発明の開示】
【発明が解決しようとする課題】
【０００４】
ここで、上述した通信システムは、複数の基地局間において、フレームが時間軸上で同期するように構成される。他の基地局が移動端末に送信する下りフレームが一の基地局が移動端末から受信する上りフレームに対して干渉しないように、下りフレームと上りフレームとの間にはガードインターバルが設けられる。
【０００５】
しかしながら、マルチパスなどの影響によって、下りフレームの遅延量がガードインターバルを超える場合が考えられる。このような場合には、他の基地局が移動端末に送信する最後尾の下りスロットは、一の基地局が移動端末から受信する先頭の上りスロットに対して干渉してしまう。
【０００６】
そこで、本発明は、上述した課題を解決するためになされたものであり、移動端末から受信する上りスロットが他の基地局が移動端末に送信する下りスロットから受ける干渉を抑制することを可能とする基地局及びスロット割当て方法を提供することを目的とする。
【課題を解決するための手段】
【０００７】
本発明の一の特徴は、複数の上りスロットを含む上りフレームと複数の下りスロットを含む下りフレームとが時間軸上において交互に配置されており、前記上りフレーム及び前記下りフレームによって構成されるフレームの同期がとられた通信システムにおいて用いられる基地局が、前記基地局のエリアに在圏する移動端末に前記上りスロットを割り当てる割当部（スロット割当部２４）を備え、前記割当部が、前記基地局からの距離が近い前記移動端末よりも前記基地局からの距離が遠い前記移動端末に対して、前記上りフレームに含まれる先頭の上りスロットを割り当てることを要旨とする。
【０００８】
かかる特徴によれば、割当部が、基地局からの距離が近い移動端末よりも基地局からの距離が遠い移動端末に対して、上りフレームに含まれる先頭の上りスロットを割り当てる。基地局からの距離が遠い移動端末が送信する上りフレームの遅延量が大きいため、時間軸上において上りフレームよりも前に他の基地局から送信された下りフレームに含まれる最後尾の下りスロットから受ける干渉の軽減を図ることができる。
【０００９】
本発明の一の特徴は、上述した一の特徴において、前記上りスロットに対する干渉量を検出する検出部（強度検出部２３）を基地局がさらに備え、前記割当部が、前記先頭の上りスロットにおいて前記干渉量が所定の閾値を超えた場合に、前記基地局からの距離が近い前記移動端末よりも前記基地局からの距離が遠い前記移動端末に対して前記先頭の上りスロットを割り当てることを要旨とする。
【００１０】
本発明の一の特徴は、上述した一の特徴において、前記検出部が、他の基地局が送信する最後尾の下りスロットの受信強度を前記干渉量として検出することを要旨とする。
【００１１】
本発明の一の特徴は、上述した一の特徴において、前記先頭の上りスロットの周波数帯が、前記最後尾の下りスロットの周波数帯と同じであることを要旨とする。
【００１２】
本発明の一の特徴は、上述した一の特徴において、前記先頭の上りスロットに続く２番目以降の上りスロットが割り当てられた移動端末に対して、前記２番目以降の上りスロットの送信の遅延を指示する指示部（遅延指示部２７）を基地局がさらに備えることを要旨とする。
【００１３】
本発明の一の特徴は、複数の上りスロットを含む上りフレームと複数の下りスロットを含む下りフレームとが時間軸上において交互に配置されており、前記上りフレーム及び前記下りフレームによって構成されるフレームの同期がとられた通信システムにおいて、前記上りスロットを移動端末に割り当てるスロット割当て方法が、前記基地局からの距離が近い前記移動端末よりも前記基地局からの距離が遠い前記移動端末に対して、前記上りフレームに含まれる先頭の上りスロットを割り当てるステップを含むことを要旨とする。
【発明の効果】
【００１４】
本発明によれば、移動端末から受信する上りスロットが他の基地局が移動端末に送信する下りスロットから受ける干渉を抑制することを可能とする基地局及びスロット割当て方法を提供することができる。
【発明を実施するための最良の形態】
【００１５】
以下において、本発明の実施形態に係る通信システムについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［第１実施形態］
（通信システムの概略）
以下において、第１実施形態に係る通信システムの概略について図面を参照しながら説明する。図１は、第１実施形態に係る通信システムの概略を示す図である。
【００１８】
図１に示すように、通信システムは、複数の移動端末１０（移動端末１０Ａ〜移動端末１０Ｆ）と、複数の基地局２０（基地局２０Ａ及び基地局２０Ｂ）とによって構成される。
【００１９】
各移動端末１０は、基地局２０と通信を行う携帯電話やＰＨＳなどである。基地局２０Ａは、基地局２０Ａによって管理されるエリア３０Ａ内に在圏する移動端末１０と通信を行う。基地局２０Ｂは、基地局２０Ｂによって管理されるエリア３０Ｂ内に在圏する移動端末１０と通信を行う。
【００２０】
通信システムでは、複数の上りスロットを含む上りフレームと複数の下りスロットを含む下りフレームとが時間軸上において交互に配置されている。通信システムでは、上りフレーム及び下りフレームによって構成されるフレームの同期が複数の基地局２０間でとられている。
【００２１】
なお、第１実施形態では、各移動端末１０と基地局２０Ａとの距離は、移動端末１０Ａ、移動端末１０Ｂ、移動端末１０Ｃ、移動端末１０Ｄの順で短いものとして説明することに留意すべきである。
【００２２】
（基地局の構成）
以下において、第１実施形態に係る基地局の構成について図面を参照しながら説明する。図２は、第１実施形態に係る基地局２０の構成を示すブロック図である。
【００２３】
図２に示すように、基地局２０は、アンテナ２１と、受信部２２と、強度検出部２３と、スロット割当部２４と、送信部２５とを有する。なお、図２では、本発明の構成を明確にするために、基地局２０が一般的に備える構成の一部が省略されていることに留意すべきである。
【００２４】
アンテナ２１は、移動端末１０が発する電波を受信する。受信部２２は、アンテナ２１を介して上りフレーム（複数の上りスロット）を受信する。
【００２５】
強度検出部２３は、上りフレームに含まれる各上りスロットの信号強度（例えば、受信電力）を検出する。強度検出部２３は、上りフレームに含まれる各上りスロットに対する干渉信号強度（例えば、干渉電力）を検出する。続いて、強度検出部２３は、上りフレームに含まれる各上りスロットに対する干渉量（例えば、ＳＩＲ；Ｓｉｇｎａｌ  ｔｏ  ＩｎｔｅｒｆｅｒｅｎｃｅやＳＩＮＲ；Ｓｉｇｎａｌ  ｔｏ  Ｉｎｔｅｆｅｒｅｎｃｅ  ａｎｄ  Ｎｏｉｓｅ  Ｒａｔｉｏ）を算出する。特に、強度検出部２３は、上りフレームに含まれる先頭の上りスロットに対する干渉量を算出可能に構成されることに留意すべきである。
【００２６】
スロット割当部２４は、各移動端末１０に上りスロットを割り当てる。具体的には、スロット割当部２４は、上りフレームに含まれる先頭の上りスロットに対する干渉量が所定の閾値以下である場合には、基地局２０からの距離が近い移動端末１０から順に、上りスロットを移動端末１０に割り当てる。一方、スロット割当部２４は、上りフレームに含まれる先頭の上りスロットに対する干渉量が所定の閾値以下である場合には、基地局２０からの距離が遠い移動端末１０から順に、上りスロットを移動端末１０に割り当てる。
【００２７】
送信部２５は、スロット割当部２４によって割り当てられた上りスロットを示す情報を、該上りスロットが割り当てられた移動端末１０に送信する。
【００２８】
（上りスロットの構成）
以下において、第１実施形態に係る上りスロットの構成について図面を参照しながら説明する。図３は、第１実施形態に係る上りスロットの構成を示す図である。具体的には、図３（ａ）は、制御信号を送信するための上りスロットを示す図であり、図３（ｂ）は、データ信号を送信するための上りスロットを示す図である。
【００２９】
図３（ａ）に示すように、制御信号を送信するための上りスロットは、過渡応答用ランダムタイプ（Ｒ）（例えば、４ｂｉｔ）と、スタートシンボル（ＳＳ）（例えば、２ｂｉｔ）と、プリアンブル（Ｐｒ）（例えば、６２ｂｉｔ）と、ユニークワード（ＵＷ）（例えば、３２ｂｉｔ）と、インフォメーション（Ｉ）（例えば、１０８ｂｉｔ）と、誤り訂正ビット（ＣＲＣ）（例えば、１６ｂｉｔ）とによって構成される。
【００３０】
図３（ｂ）に示すように、データ信号を送信するための上りスロットは、過渡応答用ランダムタイプ（Ｒ）（例えば、４ｂｉｔ）と、スタートシンボル（ＳＳ）（例えば、２ｂｉｔ）と、プリアンブル（Ｐｒ）（例えば、６ｂｉｔ）と、ユニークワード（ＵＷ）（例えば、１６ｂｉｔ）と、インフォメーション（Ｉ）（例えば、１８０ｂｉｔ）と、誤り訂正ビット（ＣＲＣ）（例えば、１６ｂｉｔ）とによって構成される。
【００３１】
図３（ａ）及び図３（ｂ）に示すように、制御信号及びデータ信号を送信するための上りスロットでは、時間軸上において前側に重要な情報が配置される。従って、時間軸上において上りスロットの前側において干渉が生じることは好ましくない。
【００３２】
（上りスロットの割当て方法）
以下において、第１実施形態に係る上りスロットの割当て方法について、図面を参照しながら説明する。図４及び図５は、第１実施形態に係る上りスロットの割当て方法について説明するための図である。以下においては、基地局２０Ａが上りスロットを割り当てる方法について説明することに留意すべきである。
【００３３】
図４（ａ）に示すように、フレームは、複数の上りスロットを含む上りフレームと複数の下りスロットを含む下りフレームとによって構成される。上りフレームと下りフレームとは時間軸上において交互に配置される。上りフレームと下りフレームとの境界には、上りフレームと下りフレームとを切り分けるためにガードインターバル（ＧＩ）が設けられる。
【００３４】
ここで、図４（ｂ）に示すように、基地局２０Ａからの距離が遠い移動端末１０から順に上りスロットを割り当てると、上りフレームに含まれる先頭の上りスロット（移動端末１０Ｄに割り当てられた上りスロット（＃１））の遅延量が、上りフレームに含まれる２番目の上りスロット（移動端末１０Ｃに割り当てられた上りスロット（＃２））の遅延量を超える場合がある。すなわち、先頭の上りスロットと２番目の上りスロットとの間で干渉が生じる場合がある。
【００３５】
従って、図４（ｃ）に示すように、基地局２０Ａからの距離が近い移動端末１０から順に上りスロットを割り当てることが好ましい。これは、上りフレームに含まれる先頭の上りスロット（移動端末１０Ａに割り当てられた上りスロット）の遅延量が、上りフレームに含まれる２番目の上りスロット（移動端末１０Ｂに割り当てられた上りスロット）の遅延量よりも小さいためである。
【００３６】
一方で、図５（ａ）に示すように、基地局２０Ａが基地局２０Ｂから離れた位置に配置されるため、基地局２０Ｂが送信する下りフレームが基地局２０Ａで受信される場合には、下りフレームに遅延が生じる。ここで、基地局２０Ｂが送信する下りフレームは、基地局２０Ａにとって不要な情報である。従って、基地局２０Ｂが送信する下りフレームは、基地局２０Ａが受信する上りフレームに対して干渉する。
【００３７】
図５（ｂ）に示すように、基地局２０Ａからの距離が近い移動端末１０から順に上りスロットが割り当てられると、基地局２０Ｂが送信する下りフレームの遅延量がマルチパスなどの影響で大きい場合には、下りフレームに含まれる最後尾の下りスロット（例えば、移動端末１０Ｆに割り当てられた下りスロット）が、上りフレームに含まれる先頭の上りスロット（移動端末１０Ａに割り当てられた上りスロット）に対して干渉する場合がある。
【００３８】
一方で、図５（ｃ）に示すように、基地局２０Ａからの距離が遠い移動端末１０から順に上りスロットが割り当てられると、上りフレームに含まれる先頭の上りスロット（移動端末１０Ｄに割り当てられた上りスロット）の遅延量が大きくなる。従って、基地局２０Ｂが送信する下りフレームに含まれる最後尾の下りスロット（例えば、移動端末１０Ｆに割り当てられた下りスロット）が先頭の上りスロットに対して干渉する可能性が軽減される。
【００３９】
一般的に、基地局２０が送信する下りフレームの送信電力は、移動端末１０が送信する上りフレームの送信電力よりも大きい。従って、基地局２０Ｂが送信する最後尾の下りスロットが先頭の上りスロットに対して干渉する割合は、先頭の上りスロットが２番目の上りスロットに対して干渉する割合よりも大きい。
【００４０】
従って、スロット割当部２４は、上りフレームに含まれる先頭の上りスロットに対する干渉量が所定の閾値以下である場合には、基地局２０からの距離が近い移動端末１０から順に上りスロットを割り当てることが好ましい。一方、スロット割当部２４は、上りフレームに含まれる先頭の上りスロットに対する干渉量が所定の閾値を超える場合には、基地局２０からの距離が遠い移動端末１０から順に上りスロットを割り当てることが好ましい。
【００４１】
（基地局の動作）
以下において、第１実施形態に係る基地局の動作について図面を参照しながら説明する。図６は、第１実施形態に係る基地局２０の動作を示すフロー図である。
【００４２】
図６に示すように、ステップ１０において、基地局２０は、上りフレームに含まれる上りスロットに対する干渉量を検出する。特に、基地局２０は、上りフレームに含まれる先頭の上りスロットに対する干渉量を検出する。なお、干渉量は、上述したように、ＳＩＲやＳＩＮＲなどである。
【００４３】
ステップ２０において、基地局２０は、上りフレームに含まれる先頭の上りスロットに対する干渉量が所定の閾値を超えているか否かを判定する。基地局２０は、干渉量が所定の閾値を超えている場合には、ステップ３０の処理に移り、干渉量が所定の閾値以下である場合には、ステップ４０の処理に移る。
【００４４】
ステップ３０において、基地局２０は、基地局２０からの距離が遠い移動端末１０から順に上りスロットを割り当てる。
【００４５】
ステップ４０において、基地局２０は、基地局２０からの距離が近い移動端末１０から順に上りスロットを割り当てる。
【００４６】
（作用及び効果）
第１実施形態に係る基地局２０によれば、スロット割当部２４が、基地局２０からの距離が近い移動端末１０よりも基地局２０からの距離が遠い移動端末１０に対して、上りフレームに含まれる先頭の上りスロットを割り当てる。基地局２０からの距離が遠い移動端末１０が送信する上りフレームの遅延量が大きいため、時間軸上において上りフレームよりも前に他の基地局２０から送信された下りフレームに含まれる最後尾の下りスロットによって受ける干渉の軽減を図ることができる。
【００４７】
［第２実施形態］
以下において、第２実施形態について図面を参照しながら説明する。以下においては、上述した第１実施形態と第２実施形態との相違点について主として説明する。
【００４８】
具体的には、上述した第１実施形態では特に触れていないが、第２実施形態では、基地局２０は、２番目以降の上りスロットが割り当てられた各移動端末１０に対して、２番目以降の上りスロットの送信の遅延を指示する。
【００４９】
（基地局の構成）
以下において、第２実施形態に係る基地局の構成について図面を参照しながら説明する。図７は、第２実施形態に係る基地局２０の構成を示すブロック図である。なお、図７では、上述した図２と同様の構成について同様の符号を付していることに留意すべきである。
【００５０】
図７に示すように、基地局２０は、図２に示した構成に加えて、遅延検出部２６と、遅延指示部２７とを有する。
【００５１】
遅延検出部２６は、上りスロットに含まれるプリアンブル（Ｐｒ）やユニークワード（ＵＷ）に基づいて、上りフレームに含まれる各上りスロットの遅延時間を検出する。
【００５２】
遅延指示部２７は、各上りスロットの遅延時間に応じて、各上りスロットが重複しないように、各上りスロットを遅延させる時間（以下、遅延指示時間）を決定する。
【００５３】
具体的には、遅延指示部２７は、先頭の上りスロットの遅延時間から２番目の上りスロットの遅延時間を除いた時間を、２番目の上りスロットの遅延指示時間として決定する。続いて、遅延指示部２７は、２番目の上りスロットの遅延時間及び２番目の上りスロットの遅延指示時間の合計時間から３番目の上りスロットの遅延時間を除いた時間を、３番目の上りスロットの遅延指示時間として決定する。
【００５４】
ここで、遅延指示部２７は、時間軸上において上りフレームの後方に配置されたガードインターバル内に最後尾の上りスロットが収まるように、各上りスロットの遅延指示時間を決定することが好ましい。
【００５５】
送信部２５は、上りフレームに含まれる各上りスロットが割り当てられた移動端末１０に対して、遅延指示部２７が決定した遅延指示時間を示す情報を送信する。
【００５６】
（上りスロットの割当て方法）
以下において、第２実施形態に係る上りスロットの割当て方法について、図面を参照しながら説明する。図８は、第１実施形態に係る上りスロットの割当て方法について説明するための図である。
【００５７】
図８（ａ）に示すように、基地局２０Ａが基地局２０Ｂから離れた位置に配置されるため、基地局２０Ｂが送信する下りフレームが基地局２０Ａで受信される場合には、下りフレームに遅延が生じる。
【００５８】
図８（ｂ）に示すように、先頭の上りスロットの遅延量が大きいため、下りフレームに含まれる最後尾の下りスロットが先頭の上りスロットに対して与える干渉が軽減される。また、２番目以降の各上りスロットが割り当てられた移動端末１０に対して、２番目以降の各上りスロットの送信の遅延を指示するため、時間軸上において各上りスロットが重複せずに配置される。
【００５９】
（基地局の動作）
以下において、第２実施形態に係る基地局の動作について図面を参照しながら説明する。図９は、第２実施形態に係る基地局２０の動作を示すフロー図である。なお、図９では、上述した図６と同様の処理について同様のステップ番号を付していることに留意すべきである。
【００６０】
図９に示すように、ステップ５０において、基地局２０は、上りフレームに含まれる各上りスロットの遅延時間を検出する。続いて、基地局２０は、各上りスロットの遅延時間に基づいて、２番目以降の上りスロットの遅延指示時間を決定する。
【００６１】
ステップ６０において、基地局２０は、上りフレームに含まれる各上りスロットが割り当てられた移動端末１０に対して、ステップ６０で決定された遅延指示時間を示す情報を送信する。
【００６２】
（作用及び効果）
第２実施形態に係る基地局２０によれば、遅延指示部２７が、各上りスロットの遅延時間に応じて、各上りスロットが重複しないように、２番目以降の上りスロットの遅延指示時間を決定し、送信部２５が、上りフレームに含まれる各上りスロットが割り当てられた移動端末１０に対して、遅延指示時間を含む情報を送信する。すなわち、基地局２０は、２番目以降の上りスロットが割り当てられた移動端末１０に対して、２番目以降の上りスロットの送信の遅延を指示する。
【００６３】
従って、基地局２０からの距離が遠い移動端末１０から順に上りスロットを割り当てたとしても、時間軸上において上りスロットが重複して、上りスロット間で干渉が生じる可能性の軽減を図ることができる。
【００６４】
［第３実施形態］
以下において、第３実施形態について図面を参照しながら説明する。以下においては、上述した第１実施形態と第３実施形態との相違点について主として説明する。
【００６５】
具体的には、上述した第１実施形態では、基地局２０は、先頭の上りスロットに対する干渉量が所定の閾値を超えた場合に、基地局２０からの距離が遠い移動端末１０から順に上りスロットを割り当てる。
【００６６】
これに対して、第２実施形態では、基地局２０は、先頭の上りスロットに対する干渉量が所定の閾値を超えており、かつ、最後尾の下りスロットの遅延時間が先頭の上りスロットの遅延時間を越えた場合に、基地局２０からの距離が遠い移動端末１０から順に上りスロットを割り当てる。
【００６７】
（基地局の構成）
以下において、第３実施形態に係る基地局の構成について図面を参照しながら説明する。図１０は、第３実施形態に係る基地局２０の構成を示すブロック図である。なお、図１０では、上述した図２と同様の構成について同様の符号を付していることに留意すべきである。
【００６８】
図１０に示すように、基地局２０は、図２の構成に加えて、遅延時間検出部２８を有する。
【００６９】
遅延時間検出部２８は、上りスロットに含まれるプリアンブル（Ｐｒ）やユニークワードに基づいて、上りフレームに含まれる各上りスロットの遅延時間を検出する。特に、遅延時間検出部２８は、上りフレームに含まれる先頭の上りスロットの遅延時間を検出する。遅延時間検出部２８は、下りフレームに含まれる最後尾の下りスロットの受信強度の変化に基づいて、最後尾の下りスロットの遅延時間を検出する。
【００７０】
上述したスロット割当部２４は、先頭の上りスロットに対する干渉量が所定の閾値を超えており、かつ、最後尾の下りスロットの遅延時間が先頭の上りスロットの遅延時間を越えた場合に、基地局２０からの距離が遠い移動端末１０から順に上りスロットを割り当てる。
【００７１】
ここで、スロット割当部２４は、時間軸上において下りフレームと上りフレームとの間に配置されたガードインターバル（ＧＩ）を考慮して、最後尾の下りスロットの遅延時間が先頭の上りスロットの遅延時間を越えるか否かを判定してもよい。具体的には、スロット割当部２４は、最後尾の下りスロットの遅延時間からガードインターバルを除いた時間が先頭の上りスロットの遅延時間を越える場合に、基地局２０からの距離が遠い移動端末１０から順に上りスロットを割り当てる。
【００７２】
（基地局の動作）
以下において、第３実施形態に係る基地局の動作について図面を参照しながら説明する。図１１は、第３実施形態に係る基地局２０の動作を示すフロー図である。なお、図１１では、上述した図６と同様の処理について同様のステップ番号を付していることに留意すべきである。
【００７３】
図１１に示すように、ステップ７０において、基地局２０は、上りフレームに含まれる先頭の上りスロットに含まれるプリアンブル（Ｐｒ）やユニークワードに基づいて、先頭の上りスロットの遅延時間を検出する。基地局２０は、下りフレームに含まれる最後尾の下りスロットの受信強度の変化に基づいて、最後尾の下りスロットの遅延時間を検出する。
【００７４】
ステップ８０において、基地局２０は、下りフレームに含まれる最後尾の下りスロットの遅延時間が上りフレームに含まれる先頭の上りスロットの遅延時間を越えるか否かを判定する。また、基地局２０は、最後尾の下りスロットの遅延時間が先頭の上りスロットの遅延時間を越える場合には、ステップ３０の処理に移り、最後尾の下りスロットの遅延時間が先頭の上りスロットの遅延時間以下である場合には、ステップ４０の処理に移る。
【００７５】
（作用及び効果）
第３実施形態に係る基地局２０によれば、スロット割当部２４は、先頭の上りスロットに対する干渉量が所定の閾値を超えており、かつ、最後尾の下りスロットの遅延時間が先頭の上りスロットの遅延時間を越えた場合に、基地局２０からの距離が遠い移動端末１０から順に上りスロットを割り当てる。
【００７６】
ここで、最後尾の下りスロットの遅延時間が先頭の上りスロットの遅延時間以下である場合には、最後尾の下りスロットが先頭の上りスロットに対して干渉することがない。このような場合に、上りスロットの割当て方法が不必要に変更されることを抑制できる。
【００７７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７８】
例えば、上述した第１実施形態〜第３実施形態では、基地局２０は、先頭の上りスロットに対する干渉量が所定の閾値を超えた場合に、基地局２０からの距離が遠い移動端末１０から順に上りスロットを割り当てるが、これに限定されるものではない。具体的には、基地局２０は、先頭の上りスロットに対する干渉量が所定の閾値を超えた場合に、基地局２０からの距離が最も遠い移動端末１０に対して先頭の上りスロットを割り当て、基地局２０からの距離が近い移動端末１０から順に２番目以降の上りスロットを割り当ててもよい。
【００７９】
上述した第１実施形態〜第３実施形態では、基地局２０は、上りスロットの割当てを切り替える判定基準として、先頭の上りスロットに対する干渉量を用いるがこれに限定されるものではない。具体的には、基地局２０は、上りスロットの割当てを切り替える判定基準として、先頭の上りスロットに対する干渉信号強度を用いてもよい。
【００８０】
上述した第１実施形態〜第３実施形態では特に触れていないが、基地局２０は、下りフレームに含まれる最後尾の下りスロットの周波数帯と上りフレームに含まれる先頭の上りスロットの周波数帯とが同じである場合に、基地局２０からの距離が遠い移動端末１０から順に上りスロットを割り当ててもよい。
【図面の簡単な説明】
【００８１】
【図１】第１実施形態に係る通信システムの概略を示す図である。
【図２】第１実施形態に係る基地局２０の構成を示すブロック図である。
【図３】第１実施形態に係る上りスロットの構成を示す図である。
【図４】第１実施形態に係る上りスロットの割当て方法について説明するための図である。
【図５】第１実施形態に係る上りスロットの割当て方法について説明するための図である。
【図６】第１実施形態に係る基地局２０の動作を示すフロー図である。
【図７】第２実施形態に係る基地局２０の構成を示すブロック図である。
【図８】第２実施形態に係る上りスロットの割当て方法について説明するための図である。
【図９】第２実施形態に係る基地局２０の動作を示すフロー図である。
【図１０】第３実施形態に係る基地局２０の構成を示すブロック図である。
【図１１】第３実施形態に係る基地局２０の動作を示すフロー図である。
【符号の説明】
【００８２】
１０・・・移動端末、２０・・・基地局、２１・・・アンテナ、２２・・・受信部、２３・・・強度検出部、２４・・・スロット割当部、２５・・・送信部、２６・・・遅延検出部、２７・・・遅延指示部、２８・・・遅延時間検出部、３０・・・エリア
【図１】
2008167010.tif 000003
【図２】
2008167010.tif 000004
【図３】
2008167010.tif 000005
【図４】
2008167010.tif 000006
【図５】
2008167010.tif 000007
【図６】
2008167010.tif 000008
【図７】
2008167010.tif 000009
【図８】
2008167010.tif 000010
【図９】
2008167010.tif 000011
【図１０】
2008167010.tif 000012
【図１１】
2008167010.tif 000013